(57)【要約】【課題】簡単な構成で部品点数を少なく抑えながら、キャリッジの動作の精度を高めて画像の読取精度を向上させることができるキャリッジの移動機構を備えた画像読取装置を提供する。【解決手段】走査方向に沿って移動可能に担持されプラテンガラス上の原稿の画像を走査するキャリッジ２０と、該キャリッジ２０を移動させる移動機構４０とを備えた画像読取装置１０において、移動機構４０は、キャリッジ２０に設けたシャフトブッシュ２７に形成された雌ねじ溝２７ｂを備えてなる挿通部２７ａと、該挿通部２７ａに挿通されて雌ねじ溝２７ｂに螺合する雄ねじ溝３０ｂを有するシャフト３０と、該シャフト３０を回転させるシャフト駆動機構部３２とを備え、シャフト３０の回転によるねじの送りでキャリッジ２０を走査方向に沿って移動させるように構成した。【選択図】図２
2008099200.tif 000002
【特許請求の範囲】
【請求項１】
走査方向に沿って移動可能に担持されプラテンガラス上の原稿の画像を走査するキャリッジと、前記キャリッジを移動させる移動機構とを備えた画像読取装置において、
前記移動機構は、前記キャリッジ側に設けた雌ねじ溝を備えた挿通部と、該挿通部に挿通された前記雌ねじ溝に螺合する雄ねじ溝を有するシャフトと、該シャフトを回転させる駆動力源とを備え、前記シャフトの回転によるねじの送りで前記キャリッジを移動させるように構成したことを特徴とする画像読取装置。
【請求項２】
請求項１に記載の画像読取装置において、
前記シャフトは前記キャリッジの走査方向に沿って配設されていると共に、前記キャリッジの挿通部は、該キャリッジの走査方向と直交する一方の端部側に設けられていることを特徴とする画像読取装置。
【請求項３】
請求項２に記載の画像読取装置において、
前記キャリッジの前記挿通部と反対の端部側に、前記キャリッジの走査方向に沿って敷設したガイドレール上に載置される載置部が設けられていることを特徴とする画像読取装置。
【発明の詳細な説明】
【技術分野】
【０００１】
本発明は、光源及び反射ミラー等が搭載されたキャリッジを備え、該キャリッジでプラテンガラス上に載置された原稿の画像を走査して読み取る画像読取装置に関するものである。
【背景技術】
【０００２】
スキャナやファクシミリや複写機などが備える画像読取装置は、特許文献１に示すように、光源及び反射ミラー等が搭載されたキャリッジを備え、該キャリッジを走査方向に沿って移動させることで、プラテンガラス上に載置された原稿の画像を走査し、走査した画像を結像ユニットに導くことで、原稿画像の読み取りを行うように構成されている。そして、上記のような画像読取装置には、モータ等の駆動力源の駆動力で回転するプーリと、該プーリに巻架されたベルトとを備え、該ベルトの駆動でキャリッジを移動させるように構成したキャリッジの移動機構を備えたものがある。
【特許文献１】特開２００１−４２４５３号公報
【発明の開示】
【発明が解決しようとする課題】
【０００３】
ところで、上記のような画像読取装置では、装置の軽量化や低コスト化を図るために、可能な限りその部品点数の削減を図ることが必要であり、上記のようなキャリッジの移動機構においても、部品点数をさらに少なく抑えて簡単な構成とすることが望まれている。また一方で、上記のプーリとベルトを備えてなる移動機構では、プーリに巻架されたベルトが緩むなどすると、キャリッジの動作に影響が出る可能性もあるため、キャリッジを移動させる移動機構をさらに改良することによって、画像の読取精度を向上させる余地がある。
【０００４】
本発明は上述の点に鑑みてなされたものでありその目的は、簡単な構成で部品点数を少なく抑えながら、キャリッジの動作の精度を高めて画像の読取精度を向上させることができるキャリッジの移動機構を備えた画像読取装置を提供することにある。
【課題を解決するための手段】
【０００５】
上記課題を解決するため本願の請求項１に記載の発明は、走査方向に沿って移動可能に担持されプラテンガラス上の原稿の画像を走査するキャリッジと、前記キャリッジを移動させる移動機構とを備えた画像読取装置において、前記移動機構は、前記キャリッジ側に設けた雌ねじ溝を備えた挿通部と、該挿通部に挿通された前記雌ねじ溝に螺合する雄ねじ溝を有するシャフトと、該シャフトを回転させる駆動力源とを備え、前記シャフトの回転によるねじの送りで前記キャリッジを移動させるように構成したことを特徴とする。
【０００６】
本願の請求項２に記載の発明は、請求項１に記載の画像読取装置において、前記シャフトは前記キャリッジの走査方向に沿って配設されていると共に、前記キャリッジの挿通部は、該キャリッジの走査方向と直交する一方の端部側に設けられていることを特徴とする。
【０００７】
本願の請求項３に記載の発明は、請求項２に記載の画像読取装置において、前記キャリッジの前記挿通部と反対の端部側に、前記キャリッジの走査方向に沿って敷設したガイドレール上に載置される載置部が設けられていることを特徴とする。
【発明の効果】
【０００８】
本願の請求項１に記載の発明によれば、キャリッジを移動させる移動機構は、シャフトを回転させて、シャフトの雄ねじ溝とキャリッジ側に設けた挿通部の雌ねじ溝の螺合によるねじの送りでキャリッジを移動させるように構成したので、キャリッジの移動機構を簡単な構成にすることができ、その部品点数を少なく抑えることができる。また、シャフトの回転によるねじの送りでキャリッジを移動させるので、シャフトの回転数の設定でキャリッジの移動量を精細に調節することができ、キャリッジの動作の精度を高めることができる。また、キャリッジのブレなどを防止してその動作を安定させることができる。したがって、画像の読取精度を向上させることが可能となる。
【０００９】
本願の請求項２に記載の発明によれば、キャリッジの挿通部を、該キャリッジの走査方向と直交する一方の端部側に設けているが、シャフトの回転によるねじの送りでキャリッジを移動させるため、走査方向に沿って移動するキャリッジの端部が走査方向に対して前後に振られるなど不安定な動作になるおそれがない。したがって、キャリッジを精度良く且つスムーズに移動させることができる画像読取装置となる。
【００１０】
本願の請求項３に記載の発明によれば、キャリッジの挿通部と反対の端部側に、キャリッジの走査方向に沿って敷設したガイドレール上に載置される載置部が設けられているので、簡単な構成で、シャフトの回転によってガイドレールに沿ってスムーズにキャリッジを移動させることができる画像読取装置となる。
【発明を実施するための最良の形態】
【００１１】
以下、本発明の実施形態を図面に基づいて詳細に説明する。
〔第１実施形態〕
図１は、本発明の第１実施形態に係る画像読取装置を備えた画像形成装置を示す斜視図である。まず図１を用いて画像形成装置の概略全体構成について説明する。本発明に係る画像形成装置としては、画像読取装置を備えた画像形成装置であれば、コピー機やファクシミリ装置やプリンタあるいはこれらの機能を兼ね備えたいわゆる複合機のうちのいずれであっても良い。同図に示す画像形成装置１００は、下段側に設置された記録部１０２と、上段側に設置された読取部１０３とを備えている。記録部１０２には、記録装置１０４と給紙カセット１０５及び記録紙排出トレイ１０６が内装され、給紙カセット１０５内に収容されている用紙を記録装置１０４へ給紙し、該記録装置１０４で用紙への記録を行った後、用紙を記録紙排出トレイ１０６へ排出するように構成されている。
【００１２】
読取部１０３は、原稿の画像を走査して読み取る画像読取装置１０と、画像読取装置１０の前面側（手前側）に設置された操作パネル１０７と、画像読取装置１０の上部にその一辺が図示しないヒンジ機構で開閉可能に取り付けられた原稿押えカバー１０８とを備えている。また、原稿押えカバー１０８の一端部には、原稿を自動的に搬送する自動原稿搬送装置（以下、「ＡＤＦ装置」という）１２０が付設され、ＡＤＦ装置１２０の側部には、ＡＤＦ装置１２０へ供給する原稿を載置する原稿供給トレイ１２１と、ＡＤＦ装置１２０から排出された原稿を載置する原稿排出トレイ１２３とが設けられている。
【００１３】
ここで、画像読取装置１０の構成を詳細に説明する。図２は、画像読取装置１０の平面図であり、図３は、その概略側面図（一部断面図）である。図３に示すように、画像読取装置１０はシャーシ部材１１及び上部カバー１５からなる外装部１８を備えており、上部カバー１５の上面にプラテンガラス１６が取り付けられている。また、プラテンガラス１６の側部には、コンタクトガラス１９ａが設置されたＡＤＦ読取部１９が設けられている。なお図２では、上部カバー１５の図示は省略している。一方、シャーシ部材１１上に設けたキャリッジ収納部１２内には、キャリッジ（スキャナユニット）２０が設置されている。
【００１４】
図４は、キャリッジ２０の構成を示す斜視図であり、図５は、図４のＡ−Ａ部分の断面図である。キャリッジ２０は、原稿へ光を照射して該原稿からの反射光を電気信号に変換することで画像読み取りを行う所謂縮小光学系のＣＣＤ読取装置で、図４に示すように、該キャリッジ２０の走査方向（以下、単に「走査方向」という。）と直交する方向を長手方向とする略直方体状の筐体２１を備えている。筐体２１上には、その長手方向に沿って棒状の光源ランプ２２が設置されており、筐体２１の上面の光源ランプ２２に沿った側部には、開口部２１ｃが形成されている。また図５に示すように、筐体２１の内部には、複数の反射ミラー２３と集光レンズ２４及びＣＣＤイメージセンサ２５が配設されている。各反射ミラー２３は、ＣＣＤイメージセンサ２５に反射光Ｒを結像するために必要な光路長を考慮して配置されている。また図２に示すように、キャリッジ２０には、該キャリッジ２０と画像読取装置１０の本体部とを電気的に接続するハーネス２６が取り付けられており、このハーネス２６を介して光源ランプ２２への電力供給を行ったり、ＣＣＤイメージセンサ２５からの電気信号を出力したりするようになっている。
【００１５】
そして、図２及び図４に示すように、キャリッジ２０の筐体２１の走査方向に直交する一方の端部（キャリッジ収納部１２の奥側の端部）２１ａには、下記するシャフト３０を挿通するシャフトブッシュ２７が設けられている。このシャフトブッシュ２７は、筐体２１の端部２１ａからその長手方向の外側に向かって突起状に突出し、その中心部には、筐体２１の長手方向と直行する水平方向（走査方向）に向かう円形の貫通孔からなる挿通部２７ａが形成されている。この挿通部２７ａの内面には、下記するシャフト３０の雄ねじ溝３０ｂに螺合する雌ねじ溝２７ｂが形成されている。また、このシャフトブッシュ２７は、走査方向に沿って所定間隔で二個並べて配置されており、各シャフトブッシュ２７の挿通部２７ａが走査方向に沿って同一軸上に配置されている。
【００１６】
一方、図２に示すように、キャリッジ収納部１２内の奥側には、上記のシャフトブッシュ２７の挿通部２７ａに挿通される円柱棒状のシャフト３０が設置されている。このシャフト３０は、その長手方向の全体に渡って雄ねじ溝３０ｂが形成されたねじ棒で、キャリッジ収納部１２の走査方向の一方の端面１２ａに設けたブラケット３１と、他方の端面１２ｂに設けたシャフト駆動機構部３２との間で回転自在に架設され、走査方向に沿って水平方向に延在している。またシャフト駆動機構部３２には、図示は省略するが、シャフト３０を回転する駆動力を供給する駆動力源であるモータと、該モータの回転をシャフトに伝達するギヤを備えてなるギヤボックスとが設置されている。これにより、モータから供給される駆動力によりシャフト３０を所定の回転数で回転させるように構成されている。また、ギヤボックス内のギヤを切り換えることで、モータから伝達される回転の方向を切り換えることができ、シャフト３０を正転方向及び逆転方向のいずれの方向にも回転させることができるようになっている。
【００１７】
また、キャリッジ収納部１２内の手前側（操作パネル１０７側）の内側面に沿う位置には、走査方向に延在するガイドレール３５が敷設されている。このガイドレール３５は、その長手方向がシャフト３０と平行に配設されていて、上面が走査方向に沿う平面状の摺動面３５ａになっている。そして、図４に示すように、キャリッジ２０の筐体２１のシャフトブッシュ２７を設けた側の端部２１ａとは反対側の端部２１ｂの下面には、該下面を走査方向に沿って所定幅で矩形状に切り欠いてなる載置部（摺動部）２８が形成されている。この載置部２８は、ガイドレール３５の摺動面３５ａ上に載置されてその上を摺動するようになっている。なお、この載置部２８に、ガイドレール３５の摺動面３５ａとの摺動摩擦を低減するフッ素樹脂などの摩擦係数の小さい素材からなる摺動テープを貼付してもよい。
【００１８】
上記構成の画像読取装置１０では、フラットベッド方式及びシートスルー方式で原稿の読み取りを行うことができる。フラットベッド方式で原稿の読み取りを行う場合には、図１に示す原稿押えカバー１０８を開いてプラテンガラス１６上に原稿を載置し、原稿押えカバー１０８を閉じて、その状態でキャリッジ２０を移動させて原稿の走査を行う。また、シートスルー方式で原稿の読み取りを行う場合には、原稿押えカバー１０８を閉じた状態で、原稿供給トレイ１２１上に載置された原稿を一枚ずつピックアップしてＡＤＦ装置１２０に繰り込み、原稿をＡＤＦ装置１２０で画像読取装置１０上のＡＤＦ読取部１９（図３参照）へ搬送し、該ＡＤＦ読取部１９で静止状態のキャリッジ２０によって原稿を読み取った後、原稿排出トレイ１２３へ原稿を排出する。
【００１９】
ここで、上記のフラットベッド方式で原稿の読み取りを行う際のキャリッジ２０の動作について説明する。まず、プラテンガラス１６上に原稿を載置して原稿押えカバー１０８を閉じた状態で、シャフト駆動機構部３２を駆動してシャフト３０を正転方向に所定の回転数で回転させる。すると、シャフト３０の雄ねじ溝３０ｂと挿通部２７ａの雌ねじ溝２７ｂとの螺合によるねじの送りによって、キャリッジ収納部１２内の左端にあるキャリッジ２０が、走査方向に沿ってキャリッジ収納部１２内を右方向に所定速度で移動する。その際、キャリッジ２０に搭載した光源ランプ２２が点灯して、プラテンガラス１６上の原稿へ光が照射される。そして、この光源ランプ２２の照射による原稿からの反射光Ｒが、キャリッジ２０の開口部２１ｃから筐体２１内に入射する。筐体２１内に入射した反射光Ｒは、反射ミラー２３で順次反射されて集光レンズ２４へ導かれる。集光レンズ２４に導かれた反射光Ｒは、ＣＣＤイメージセンサ２５に結像され、電気信号に変換されて出力される。
【００２０】
そして、キャリッジ２０がプラテンガラス１６上に載置された原稿の右端部に対応する位置まで移動すると、原稿の読取走査が終わって光源ランプ２２が消灯する。その状態で、シャフト駆動機構部３２でシャフト３０の回転方向を反転させ、逆転方向に回転させることで、これまでとは逆方向にねじを送り、キャリッジ２０を左方向へ移動させて元の位置まで戻す。
【００２１】
上記の画像読取装置１０では、キャリッジ２０を移動させる移動機構４０として、キャリッジ２０側に設けた雌ねじ溝２７ｂを備えた挿通部２７と、該挿通部２７に挿通された雄ネジ溝３０ｂを有するシャフト３０とを備え、シャフト３０の回転によるねじの送りでキャリッジ２０を移動させるように構成したので、該移動機構４０を、従来の画像読取装置が備える移動機構よりも簡単な構成とすることができる。したがって、画像読取装置１０の部品点数を少なく抑えることができ、装置の低コスト化を図ることができる。また、上記の移動機構４０では、シャフト３０の回転によるねじの送りでキャリッジ２０を移動させるので、シャフト３０の回転数の設定によってキャリッジ２０の移動速度及び移動量を精細に調節することができる。また、キャリッジ２０のブレなどを防止してその動作を安定させることができる。したがって、従来のベルトとプーリによる移動機構などと比較して、キャリッジ２０の動作の精度を高めることができるので、画像の読取精度を向上させることが可能となる。
【００２２】
また、本画像読取装置１０では、シャフト３０を挿通させる挿通部２７ａを備えたシャフトブッシュ２７をキャリッジ２０の筐体２１の一方の端部２１ａに設けているが、シャフト３０の回転によるねじの送りでキャリッジ２０を移動させるように構成しているため、移動するキャリッジ２０の筐体２１の他方の端部２１ｂが走査方向に対して前後に振られたりするなど不安定な動作になるおそれがない。したがって、キャリッジ２０を精度良くスムーズに移動させることができる。
【００２３】
また、本画像読取装置１０では、キャリッジ２０の筐体２１の一方の端部２１ａにシャフト３０を挿通させる挿通部２７ａを設け、他方の端部２１ｂにガイドレール３５上に載置される載置部２８を設けているので、簡単な構成で、シャフト３０の回転によってガイドレール３５に沿ってスムーズにキャリッジ２０を移動させることができる画像読取装置１０となる。
【００２４】
〔第２実施形態〕
次に、本発明の第２実施形態について説明する。本発明の第２実施形態では、上記の第１実施形態と同一又は相当する構成部分には同一符号を付し、その詳細な説明は省略する。また、以下で説明する事項以外の事項や図示する以外の部分は、上記の第１実施形態と同じである。図６及び図７は、本発明の第２実施形態にかかる画像読取装置１０−２の構成を示す図で、図６はその平面図であり、図７はその側面図（一部断面図）である。上記の第１実施形態の画像読取装置１０では、１台のキャリッジ２０のみを備えたいわゆる１キャリッジ方式を採用していたが、本実施形態の画像読取装置１０−２では、フルレートキャリッジ２０−１とハーフレートキャリッジ２０−２の二台のキャリッジを備えた２キャリッジ方式を採用している。
【００２５】
フルレートキャリッジ２０−１は、一方の端部５１ａに設けたシャフトブッシュ２７−１にシャフト３０−１が挿通されると共に、他方の端部５１ｂがガイドレール３５の摺動面３５ａ上に載置された筐体５１と、該筐体５１に搭載された光源ランプ５２と、反射ミラー５３とを備えている。また、ハーフレートキャリッジ２０−２は、筐体５４と、該筐体５４を支持しその一方の端部５５ａに設けたシャフトブッシュ２７−２にシャフト３０−２が挿通されると共に、他方の端部５５ｂがガイドレール３５の摺動面３５ａ上に載置された支持部材５５と、該支持部材５５に取り付けられた一対の反射ミラー５６，５６とを備えている。
【００２６】
そして、キャリッジ収納部１２内の奥側には、フルレートキャリッジ２０−１を走査方向に沿って移動させる第１移動機構４０−１と、ハーフレートキャリッジ２０−２を走査方向に沿って移動させる第２移動機構４０−２とが設置されている。各移動機構４０−１，４０−２は、第１実施形態の画像読取装置１０が備える移動機構４０と概ね同様の構成である。すなわち、第１移動機構４０−１のシャフト３０−１の雄ねじ溝３０−１ｂは、フルレートキャリッジ２０−１が備えるシャフトブッシュ２７−１の挿通部２７−１ａに設けた雌ねじ溝２７−１ｂに螺合しており、第２移動機構４０−２のシャフト３０−２の雄ねじ溝３０−２ｂは、ハーフレートキャリッジ２０−２が備えるシャフトブッシュ２７−２の挿通部２７−２ａに設けた雌ねじ溝２７−２ｂに螺合している。また本実施形態では、フルレートキャリッジ２０−１には、第２移動機構４０−２のシャフト３０−２を挿通させる挿通部５７が形成されており、ハーフレートキャリッジ２０−２には、第１移動機構４０−１のシャフト３０−１を挿通させる挿通部５８が形成されている。これら挿通部５７，５８は、いずれもシャフト３０−２，３０−１には接触せず、シャフト３０−２，３０−１との間に隙間を設けた状態でシャフト３０−２，３０−１を挿通させている。なお、図７では、第２移動機構部４０−２の図示は省略し、第１移動機構部４０−１のみを図示している。
【００２７】
また、第１移動機構４０−１のシャフト３０−１の一端部には、該シャフト３０−１を回転させるシャフト駆動機構部３２−１が設けられており、第２移動機構４０−２のシャフト３０−２の一端部には、該シャフト３０−２を回転させるシャフト駆動機構部３２−２が設けられている。ここで、シャフト３０−１に形成した雄ねじ溝３０−１ｂと、シャフト３０−２に形成した雄ねじ溝３０−２ｂのピッチを同一のピッチとした場合は、シャフト駆動機構部３２−１によるシャフト３０−１の回転速度と、シャフト駆動機構部３２−２によるシャフト３０−２の回転速度の比が略２：１になるようにする。これにより、フルレートキャリッジ２０−１の走査速度及び走査距離と、ハーフレートキャリッジ２０−２の走査速度及び走査距離の比が、いずれも略２：１となるように設定される。
【００２８】
上記構成の画像読取装置１０−２では、各シャフト駆動機構部３２−１，３２−２の駆動によってシャフト３０−１とシャフト３０−２が２：１の回転速度比で回転する。これにより、フルレートキャリッジ２０−１とハーフレートキャリッジ２０−２が、ガイドレール３５に沿ってキャリッジ収納部１２内を左端から右方向に２：１の速度比で移動する。その際、図７に示すように、フルレートキャリッジ２０−１の光源ランプ５２が点灯してプラテンガラス１６上の原稿に光が照射され、該原稿からの反射光Ｒが反射ミラー５３，５６，５６で順次反射されて、キャリッジ収納部１２内に設置された結像ユニット（ＣＣＤイメージセンサ）５９へ導かれることで、原稿の画像が読み取られる。
【００２９】
一方、フルレートキャリッジ２０−１がプラテンガラス１６上に載置された原稿の右端部に対応する位置まで移動すると共に、ハーフレートキャリッジ２０−２が該原稿の中央部に対応する位置まで移動したら、原稿の読取走査が終了する。読取走査が終わると、光源ランプ５２を消灯して、各シャフト駆動機構部３２−１，３２−２で、各シャフト３０−１，３０−２の回転方向を逆転させてねじを逆方向に送ることで、フルレートキャリッジ２０−１及びハーフレートキャリッジ２０−２を左方向に移動させて元の位置まで戻す。
【００３０】
以上本発明の実施形態を説明したが、本発明は上記実施形態に限定されるものではなく、特許請求の範囲、及び明細書、図面に記載された技術的思想の範囲内において種々の変形が可能である。なお、直接明細書及び図面に記載のない何れの形状・構造・材質であっても、本願発明の作用・効果を奏する以上、本願発明の技術的思想の範囲内である。例えば、上記実施形態の画像読取装置１０が備えるキャリッジ２０の構成は一例であり、本発明のキャリッジの具体的な構成は上記したものに限定されず、その他の構成であっても良い。
【００３１】
また、移動機構４０の具体的な構成も上記実施形態に示すものには限定されず、例えば、シャフト３０に形成した雄ねじ溝３０ｂは、キャリッジ２０が移動する際に挿通部２７ａ内を通過する範囲に形成されていれば良く、必ずしもシャフト３０の全体に形成されている必要はない。また、キャリッジ２０側に設ける挿通部２７ａは、キャリッジ２０の筐体２１に設けたシャフトブッシュ２７に形成する以外にも、キャリッジ２０の筐体２１の本体部に直接形成してもよい。また、キャリッジ２０にナットを取り付けて、該ナットのねじ穴を挿通部としてこれにシャフト３０を挿通させるように構成しても良い。また、挿通部２７ａはシャフト４０を挿通させることができれば、その形状は貫通孔には限定されず、それ以外にも例えば、内部に雌ねじ溝が形成された凹部などであっても良い。
【００３２】
また、第２実施形態の画像読取装置１０−２では、フルレートキャリッジ２０−１に第２移動機構４０−２のシャフト３０−２を挿通させる挿通部５７が形成され、ハーフレートキャリッジ２０−２に第１移動機構４０−１のシャフト３０−１を挿通させる挿通部５８が形成されているが、各キャリッジ２０−１，２０−２の設置位置をずらすことで、これらをシャフト３０−２，３０−１を避けた位置に配設すれば、挿通部５７，５８は省略することが可能である。
【００３３】
また、第２実施形態では、各シャフト駆動機構部３２−１，３２−２の駆動によってシャフト３０−１，３０−２が２：１の回転速度比で回転する場合を示したが、これ以外にも、シャフト３０−１に形成する雄ねじ溝３０−１ｂとシャフト３０−２に形成する雄ねじ溝３０−２ｂのピッチを互いに異なるピッチにすれば、シャフト３０−１とシャフト３０−２を同一の速度で回転させても、フルレートキャリッジ２０−１の走査速度とハーフレートキャリッジ２０−２の走査速度の比を略２：１とすることが可能である。その場合は、シャフト駆動機構部３２−１，３２−２をまとめて一個のシャフト駆動機構部とするなど、移動機構の構成をより簡単にすることが可能となる。
【図面の簡単な説明】
【００３４】
【図１】本発明の第１実施形態に係る画像読取装置を備えた画像形成装置の全体構成を示す斜視図である。
【図２】画像読取装置の構成を示す平面図である。
【図３】画像読取装置の構成を示す概略側面図（一部断面図）である。
【図４】キャリッジの構成を示す斜視図である。
【図５】キャリッジの断面を示す図で、図４のＡ−Ａ部分の断面図である。
【図６】本発明の第２実施形態に係る画像読取装置の構成を示す平面図である。
【図７】本発明の第２実施形態に係る画像読取装置の構成を示す側面図（一部断面図）である。
【符号の説明】
【００３５】
１０            画像読取装置
１０−２        画像読取装置
１１            シャーシ部材
１２            キャリッジ収納部
１５            上部カバー
１６            プラテンガラス
２０            キャリッジ
２０−１        ハーフレートキャリッジ
２０−２        フルレートキャリッジ
２１            筐体
２１ａ          端部
２１ｂ          端部
２２            光源ランプ
２３            反射ミラー
２４            集光レンズ
２５            ＣＣＤイメージセンサ
２７            シャフトブッシュ
２７ａ          挿通部
２７ｂ          雌ねじ溝
２８            載置部
３０            シャフト
３０ｂ          雄ねじ溝
３２            シャフト駆動機構部（駆動力源）
３５            ガイドレール
３５ａ          摺動面
４０            移動機構
４０−１        第１移動機構
４０−２        第２移動機構
１００          画像形成装置
【図１】
2008099200.tif 000003
【図２】
2008099200.tif 000004
【図３】
2008099200.tif 000005
【図４】
2008099200.tif 000006
【図５】
2008099200.tif 000007
【図６】
2008099200.tif 000008
【図７】
2008099200.tif 000009